(57)【要約】【課題】診断装置を壁面と一定間隔を保ってスムーズに昇降させることができるとともに、予め診断壁面の状態に合わせて必要数の診断装置をセットして一度の上昇あるいは下降において広い範囲の診断が可能であり、さらに構成簡単且つ安価な壁面診断装置を提供する。【解決方法】矩形枠体３の四隅部に上下方向を向けて壁面Ｗに当接するガイド輪６が設けられ、前記矩形枠体３の横枠４ａ、４ｂに診断装置が設けられ、前記矩形枠体３の両側縦枠５ａ、５ｂに前記ガイド輪６の車軸８より前記壁面Ｗから離してそれぞれガイドプーリ８が設けられ、該それぞれのガイドプーリ８にガイドワイヤ１３が掛け渡され、該それぞれのガイドワイヤ１３の上下端が前記壁面Ｗ方向に保持され、さらに前記矩形枠体３が昇降自在に構成されてなる。【選択図】    図２
2004264171.tif 000002
【特許請求の範囲】
【請求項１】
矩形枠体の四隅部に上下方向を向けて壁面に当接するガイド輪が設けられ、前記矩形枠体の横枠に診断装置が設けられ、前記矩形枠体の両側縦枠に前記ガイド輪の車軸より前記壁面から離してそれぞれガイドプーリが設けられ、該それぞれのガイドプーリにガイドワイヤが掛け渡され、該それぞれのガイドワイヤの上下端が前記壁面方向に保持され、さらに前記矩形枠体が昇降自在に構成されてなることを特徴とする壁面診断装置。
【請求項２】
前記矩形枠体が横長であることを特徴とする請求項１に記載の壁面診断装置。
【発明の詳細な説明】
【０００１】
【発明の属する技術分野】
本発明は、コンクリート建造物等の壁面診断装置に関し、特に、各種の診断装置を壁面に沿って昇降させるための装置に関する。
【０００２】
【従来の技術】
従来、築後長年を経たコンクリート建造物等における老朽化診断、あるいは外壁改修工事等における壁面診断装置として、超音波診断装置、赤外線診断装置等が提案されている。
【０００３】
前記のごとき、壁面診断に際しては、前記診断装置を診断壁面に沿って昇降させることが必要である。そのための装置として、屋上等から前記診断装置を吊り下げて診断壁面に沿って昇降させることが行われている。
【０００４】
【特許文献】
特開平７−２２４５４４号公報
特開平５−９９９０６号公報
【０００５】
【発明が解決しようとする課題】
前記のごとく、屋上から診断装置を吊り下げて壁面診断を行う場合には、前記診断装置を、診断壁面と一定間隔を保ってスムーズに昇降させることが必要であり、さらに一度の上昇あるいは下降時にできるだけ広い範囲の診断を行うこと作業効率上望ましい。
【０００６】
本発明は、前記診断装置を壁面と一定間隔を保ってスムーズに昇降させることができるるとともに、予め診断壁面の状態に合わせて必要数の診断装置をセットして一度の上昇あるいは下降において広い範囲の診断が可能であり、さらに構成簡単且つ安価な壁面診断装置を提供することを目的とする。
【０００７】
【課題を解決するための手段】
前記目的を達成するため、請求項１の本発明の壁面診断装置は、矩形枠体の四隅部に上下方向を向けて壁面に当接するガイド輪が設けられ、前記矩形枠体の横枠に診断装置が設けられ、前記矩形枠体の両側縦枠に前記ガイド輪の車軸より前記壁面から離してそれぞれガイドプーリが設けられ、該それぞれのガイドプーリにそれぞれガイドワイヤが掛け渡され、該それぞれのガイドワイヤの上下端が前記壁面方向に保持され、さらに前記矩形枠体が前記壁面に沿って昇降自在に構成されてなることを特徴とする。
【０００８】
前記構成の本発明では、矩形枠体の昇降時には、ガイドプーリ及びガイドワイヤの働きで、四隅部に設けたガイド輪が常に壁面に当接し、前記矩形枠体の横枠に設けた診断装置が壁面と一定間隔を保ってスムーズに昇降させられる。したがって、測定値に狂いが生じることがない。
【０００９】
請求項２に示す実施の一形態は、前記矩形枠体が横長であることを特徴とする請求項１に記載の壁面診断装置である。この実施の一形態によれば、使用する診断装置の診断可能範囲及び診断壁面の状態に合わせて、前記横長の矩形枠体を構成する横枠に複数の各種診断装置を設けて、一度の上昇あるいは下降において広い範囲の一括診断が可能であり、作業効率を高めることができる。
【００１０】
【発明の実施の形態】
以下、本発明の実施の一形態を図面に基づいて説明する。図１は本発明に係る壁面診断装置の概念図、図２は要部の斜視図である。
【００１１】
図中、１は屋上のパラペット等に支持される移動自在の上部フレーム、２は地上近くに保持される移動自在の下部フレーム、３は横長に構成された矩形枠体である。該矩形枠体３は、上方横枠４ａ、下方横枠４ｂ及び縦枠５ａ、５ｂで構成され、さらに四隅部には、それぞれ上下方向に向けて壁面Ｗに当接するガイド輪６が設けられる。
【００１２】
図面実施の一形態では、前記矩形枠体３の上方横枠４ａに所定間隔、すなわち、相互の干渉を避けるため、所定間隔をあけて打撃端子を有する打音測定器７が設けられている。
【００１３】
なお、診断装置は前記打音測定器７に限らない。また、前記診断装置は、前記下方横枠４ｂのみに設けてもよく、また、両横枠４ａ及び４ｂに設ける場合には、相互に設置位置をずらして千鳥状に設けるとよい。
【００１４】
つぎに、前記矩形枠体３の縦枠５ａ及び５ｂに、前記ガイド輪６の車軸８より前記壁面Ｗから離してそれぞれ三角形状に配置した三個のガイドプーリ９、１０及び１１が、それぞれフレーム１２によって支持されて取付けられる。
【００１５】
図面実施例では、前記中間のガイドプーリ９を壁面Ｗ側に近づけ、その上下に位置したガイドプーリ１０及び１１を前記中間のガイドプーリ９よりも前記壁面Ｗから離した状態に設けられている。そして、前記それぞれのガイドプーリ９、１０及び１１にそれぞれガイドワイヤ１３が掛け渡される。すなわち、該ガイドワイヤ１３が側面視で逆く字状に掛け渡される。
【００１６】
前記三個のガイドプーリ９、１０及び１１の構成は、前記矩形枠体３の両側、すなわち、左右の均一な昇降と前記ガイド輪６の前記壁面Ｗへの当接を完全にするものである。
【００１７】
さらに、前記それぞれのガイドワイヤ１３の上下端が前記壁面Ｗ方向に保持される。具体的には、前記ガイドロープ１３の上端が移動自在の前記上部フレーム１に、下端が移動自在の前記下部フレーム２に保持される。
【００１８】
さらに前記矩形枠体３が昇降自在に構成される。図面実施の一形態では、前記矩形枠体３を構成する上方横枠４ａに吊り上げワイヤ１４の一端が連結され、該吊り上げワイヤ１４の他端側が、前記上部フレーム１に設けられたプーリ１５に掛け渡され、さらに前記下部フレーム２に設けられたプーリ１６に掛け渡されてウインチ１７によって巻き上げ、巻き戻し自在に構成され、地上での操作が可能に構成されている。もっとも、巻き上げ、巻き戻し装置を屋上に設けてもよいことは勿論である。
【００１９】
さらに、図面実施の一形態では、前記矩形枠体３を構成する下方横枠４ａに下降用ワイヤ１８の一端が連結され、該下降用ワイヤ１８の他端が、前記下部フレーム２に設けられたプーリ２０に掛け渡され、さらに前記上部フレーム１に設けられたプーリ２１に掛け渡されてその端部に錘１９が吊り下げられている。
【００２０】
前記構成は、前記錘１９及び下降用ワイヤ１８の働きで、常に前記矩形枠体３が下方に引っ張られる構成であり、その結果、前記矩形枠体３の前記吊り上げワイヤ１４及び前記下降用ワイヤ１８が緊張させられ、前記ガイドワイヤ１３による前記矩形枠体３の保持効果に加えて、風等による前記矩形枠体３の揺れを防止する。
【００２１】
前記構成の本発明は、まず、診断を必要とする壁面Ｗの屋上のパラペット等Ｐに前記上部フレーム１を固定し、前記下部フレーム２を地上Ｇ近くの壁面Ｗに固定し、該下部フレーム２及び前記上部フレーム１間に前記ガイドワイヤ１３を張設する。
【００２２】
さらに、一端が前記矩形枠体３の上方横枠４ａに連結された前記吊り上げワイヤ１４を前記プーリ１５、１６に掛け渡して前記ウインチ１３に連繋し、さらに、一端が前記矩形枠体３の下方枠体４ｂに連結された下降ワイヤ１９を前記プーリ２１、２２に掛け渡し、前記ウインチ１７を操作して前記矩形枠体３を昇降させればよい。
【００２３】
その結果、前記ガイドプーリ９、１０及び１１、前記ガイドワイヤ１３及び前記ガイド輪６の働きで、矩形枠体３が、前記壁面Ｗと一定間隔を保って昇降させられる。なお、前記診断装置で得られたデータ信号は、前記矩形枠体３に予め搭載した機器によって、あるいは屋上、地上に置いた機器によって分析され、さらに記録される。
【００２４】
前記本発明の壁面診断装置は、前記矩形枠体３を主体に構成され、各種診断装置を搭載することができ、さらに構成簡単且つ安価に提供できる。
【００２５】
【発明の効果】
本発明によれば、診断装置を壁面と一定間隔を保ってスムースに昇降させることができるとともに、予め、診断壁面の状態に合わせて必要数の診断装置をセットして一度の上昇あるいは下降において広い範囲の診断が可能であり、構成簡単且つ安価である効果が得られる。
【図面の簡単な説明】
【図１】本発明に係る壁面診断装置の概念図である。
【図２】本発明に係る壁面診断装置の要部斜視図である。
【符号の説明】
３    矩形枠体
４ａ、４ｂ  横枠
５ａ、５ｂ  縦枠
６    ガイド輪
８    車軸
９、１０、１１  ガイド輪
１３  ガイドワイヤ
Ｗ    壁面
【図１】
2004264171.tif 000003
【図２】
2004264171.tif 000004